(57)【要約】【課題】機体に設けたロール収納部にロール状シートを横架し、上記シートを後方に繰り出して圃場面を被覆し、該圃場面を被覆したシートの上方より圃場面に苗を移植するようにした移植機において、使用中途の小径のロール状シートであっても、機体のロール収納部に容易、且つ円滑に装填することを可能として作業性を向上させた移植機を得る。【解決手段】ロール収納部の下面にロール状シートの繰り出し方向に回転自在な複数個の支持ローラを設け、該支持ローラでロール状シートを後方へ繰り出し可能に支持した。【選択図】        図４
2004329101.tif 000002
【特許請求の範囲】
【請求項１】
ロール状シートを横架して収納するロール収納部を設け、上記ロール状シートをロール収納部から後方に繰り出して圃場面を被覆し、該圃場面を被覆したシートの上方より圃場面に苗を移植するようにした移植機において、前記ロール収納部の下面にシートの繰り出し方向に回転自在な複数列の支持ローラを設け、該支持ローラでロール状シートを後方へ繰り出し可能に支持したことを特徴とする移植機。
【発明の詳細な説明】
【０００１】
【発明の属する技術分野】
本発明は、ロール収納部にロール状シートを横架し、シートを後方に繰り出して圃場面を被覆し、該圃場面に被覆したシートの上方より苗を移植するようにした移植機の構成に関する。
【０００２】
【従来の技術】
従来、ロール収納部にロール状シートを横架し、シートを後方に繰り出して圃場面に被覆し、該圃場面に被覆したシートの上方より苗を移植するようにした移植機は、既に知られている。（例えば、特許文献１参照。）
【０００３】
【特許文献１】
特開平８−２６６１１４号公報（第４頁、図８）
【０００４】
【発明が解決しようとする課題】
しかしながら、上記特許文献１に記載の従来技術のものは、収納部に収納しているロール状シートを、左右の蓋体の内側中心部に設けたテーパー状の支持ローラを、ロール状シートの中心部にある筒芯の両端に嵌挿して左右端部を回転可能に支持している。
そのため、未使用のロール状シートを収納部内に装填する場合には、ロール状シートの外径と収納部の外径との大きさに余り差がないので、ロール状シートの筒芯と上記両支持ローラとの位置合わせが容易であるが、使用中途のロール状シートを装填して作業をする場合には、ロール状シートの外径と収納部の内径とが大きく異なり、重量の重いロール状シートの両側を持ち上げて筒芯の左右端部に両支持ローラを嵌挿するのが容易でなく、この作業が煩わしかった。
本願発明は、上記課題を解消することを目的とする。
【０００５】
【課題を解決するための手段】
上記目的を達成するため、本発明においては、ロール状シートを横架して収納するロール収納部を設け、上記ロール状シートをロール収納部から後方に繰り出して圃場面を被覆し、該圃場面を被覆したシートの上方より圃場面に苗を移植するようにした移植機において、前記ロール収納部の下面にシートの繰り出し方向に回転自在な複数列の支持ローラを設け、該支持ローラでロール状シートを後方へ繰り出し可能に支持したことを特徴とする。
【０００６】
【発明の実施の形態】
本発明の実施の形態の一例を以下図面に基づいて説明する。図１は本願発明装置を備えた移植機の全体側面図、図２は説明用の要部の平面図であって、１は走行機体を示し、その後部にある昇降リンク２を介して、後方に作業機部３を備えたものである。
先ず、走行機体１は通常の田植機と同様に、左右一対の前輪４，４と後輪５，５とを備え、前部中央にエンジン６，その両側に補助苗載台７，７，その後ろに操向用のハンドル８等を備え、後部には運転者の座席９等を備えている。
【０００７】
そして、上記座席９の両側方には、圃場面に被覆する予備のロール状シートＲ，Ｒを支持する補助ロール台１０，１０（図２参照）が備えられており、該補助ロール台１０は、ロール状シートＲを作業機部３に装填する際には、後端部の支点Ｏ（図２参照）を中心に図２の矢印Ａ方向へ水平に約９０度回動して、鎖線位置の供給姿勢となるようになっている。
【０００８】
また、後方の作業機部３について説明するに、１２は前高後低状に設けられた苗載台であって、その後部の最低部側にある複数の植付杆１３・・・が、側面視で上下に長い円弧軌跡を描いて揺動することにより、苗載台１２上のマット状苗を一株分づつ切断して、圃場上に植付けていくものであるが、本願の移植機は、予め圃場上に被覆したシートＳ上に孔を開けながら、苗を植付けるものであり、その構造の詳細については、後述する。
【０００９】
次に、図３は上記作業機部の要部を示す側面図であり、図４は作業時、図５はシート供給時の説明用要部の側面図を夫々示す。
先ず、図３において、１５は内部に上記ロール状シートＲを収納するためのロールケースであり、該ロールケース１５はロール状シートＲを収納する際、前方にある蓋開閉レバー１６を回動操作することにより、ケース本体側と開閉蓋１７との係止を解き、ロールケース１５の後方にある縦方向の支軸１８を支点として開閉蓋１７を外側に開くものであるが、植付作業を行っている時には、下方に横方向の間隔を有して多数本設けられているシートホルダ１９・・・を上下動するための操作レバー２０が開閉蓋１７の回動軌跡上に位置し、妄りに開閉蓋１７が開かないようになっている。
従って、ロール状シートＲをロールケース１５内に収納する際には、操作レバー２０を図の矢印Ｂ方向（図５参照）に回動してシートホルダ１９の後部側を下げた状態で、操作レバー２０が邪魔にならない位置で行うものである。
【００１０】
また、作業機部３の下部にある２１，２１は、夫々回動自在に横架した中空状の円柱体からなるローラフロートであって、作業機部３に複数備えたスプリング２２・・・を介して圃場から受ける土圧の変化によって上下動するように吊下げられており、繰り出されたシートＳを圃場面に押さえつけるものであると共に、作業機部３の油圧昇降を行う油圧感知センサーも兼ねている。
そして、その後方にある左右の端押さえロール２３（２３）によりシートＳの両端を押さえ、その間に上記植付杆１３・・・で苗を植付けていくものである。
【００１１】
更に、２４は圃場に敷設されたシートＳを切断するためのカッタであって、常時は後端側の刃の部分が上方に位置しているが、シートＳの切断動作をする際には、前記座席９の近傍にある操作レバー２５（図１参照）を操作することにより、カッタ２４側と連結したワイヤ２６が牽引されて支点２７を回動支点として後端側の刃の部分が下方に回動して行われるものである。
なお、２８はロールケース１５の下方外側に設けたカバーであり、２９は植付と同時に地中に肥料を施肥する際の施肥管であり、３０，３０は作業機部３の左右両端側に設けられたスタンドである。
【００１２】
更に、図４の作業時における要部の側面図、及び図５のシート供給時の要部の側面図において、上記ロールケース１５の前部にはロール収納部３２が設けられており、また、その下面には３列の支持ローラ３３・・が、ロールケース１５外周の下部から垂下したブラケット４２に支持されたシャフト３４・・（後述、図６参照）を介して、ロール状シートＲの繰り出し方向に回転自在に横設されていて、大径シートＲ１の場合には３列の支持ローラ３３・・が支持し、使用に伴い小径となったり、小径シートＲ２を収納した場合にも２列の支持ローラ３３・がシートＲを後方へ繰り出し可能に支持するように構成されている。
【００１３】
そして、上記支持ローラ３３・・の位置は、ロール収納部３２の側面視で、未使用の大径シートＲ１を内部に装填した時に、周囲に余り隙間ができない程度の位置に支持されるものである。
なお、図４の３５はシートＲの案内板であって、大径シートＲ１が作業の進行につれて減少して小径シートＲ２となった時、シート繰出口３８から繰り出される際にロール状シートＲの方向を定めて案内を行うものである。
【００１４】
更にまた、３６，３６は後述（図６参照）するように、ロール収納部３２に横方向から重いロール状シートＲを装填する際に、円滑に装填できるように設けた左右一対の案内ローラであって、図５に記載の如く、ロール状シートＲ補給時の操作レバー２０の矢印Ｂ方向への回動操作により、側面視で先の支持ローラ３３・・よりも若干高い位置に上昇するようになっている。
【００１５】
即ち、図６はロール収納部の底部の平面図であって、上記の如く３列の支持ローラ３３・・が夫々シャフト３４・・に支持されて横幅方向全体に亘り多数列に並設されており、ロール状シートＲの繰り出し方向に回転自在となっているものである。
一方、上記案内ローラ３６・は、左右の端部に近い部分に一対づつが備えられ、上記操作レバー２０の矢印Ｂ方向（図５参照）への回動操作で上下移動する横フレーム３７に装着されていて、その回転軸芯方向は上記支持ローラ３３・・と９０度異なり、供給部へのロール状シートＲの供給方向に回転自在となっているものである。
【００１６】
また、別案として従来装置と同様に左右の蓋体の内側中心部に設けたテーパー状の支持ローラＸ，Ｘを、ロール状シートＲの中心部にある芯筒Ｙの両端に嵌挿して左右端部を支持してロール状シートＲを装填する場合において、殊に、使用中途の小径シートＲ２を装填する時は、図８に示すように、未使用の大径ロール状シートＲ１の略同径の外径を有する芯筒Ｙ支持用のアダプタ４０をシートＲ２の端部に予め取りつけ、一方の横方向からロール収納部３２内へ押し込んでから開閉蓋１７をセットする方法が考えられる。
さらに別案として、図９に示すようにロール収納部３２の中心位置に予めシャフト４１を横架し、該シャフト４１に小径シートＲ２の芯筒Ｙを貫通するようにしてセットする方法等も考えられる。
【００１７】
また、図７は作業者が運転席からロール状シートＲの残量を確認する際の要部の説明図で、（ａ）は側面図、（ｂ）は上記（ａ）のＣ矢視図である。
即ち、従来装置においては、ロール収納部の上部に確認窓３９がついてはいたが、ロール状シートＲの上面のみを見るようになっていたので、シートＲの有無は容易に分かったが、残量については困難だった。
そこで、本願では確認窓３９をロールケース１５の前方下方側から後方上方側に向かう位置に長方形状に設けたので、ロール状シートＲの前端部を確認することができロール状シートＲの残量の確認を容易に行うことができるものである。
また、ロール状シートＲの巻き終わりに近い部分に例えば赤の如く特別目立つ色をつけておけば、確認窓３９で見て残量確認が容易に出来るばかりでなく、被覆したシートＳに色がついているので、ロール収納部内のシートの残量が少ないことが分かると共に、残りの部分に数字等で目盛りをつけておくと、残量が一目で分かり、ロール状シートＲの交換時期の目安がつく。
【００１８】
本願発明は以上のような構成となっているので、作業者が苗の移植作業を行う際には、作業を開始する前に、先ず後方作業機部３の苗載台１２上及び走行機体１の前方左右にある補助苗載台７，７上に植付用のマット状苗を載置し、植付同時施肥用の肥料を走行機体１の前方下部に位置するタンク内に供給すると共に、走行機体１の左右に設けた補助ロール台１０，１０上にロール状シートＲ，Ｒを搭載する。
【００１９】
そして、エンジン６を始動した後、昇降リンク２を操作して作業機部３を上昇させて補助ロール台１０の高さとロール収納部３２の高さを合わせてから、片方の補助ロール台１０を図２の矢印Ａの如く回動してロール状シートＲを鎖線位置の如く回動し、操作レバー２０を図５の矢印Ｂの如く回動してから、蓋開閉レバー１６を操作してロールケース１５の開閉蓋１７の係止を解除すると共に、開閉蓋１７をピン１８を支点として開ける。
すると、上記操作レバー２０の回動に伴い、案内ローラ３６，３６が上昇位置に移動して、図５図示の状態になると共に、後方下方に延びるシートホルダ１９・・・の後端側も下降する。
【００２０】
そこで、ロール状シートＲの末端側をロール収納部３２内に押し込むと良い。
この時、重いロール状シートＲであっても、案内ローラ３６，３６の回転作用により、奥側に円滑に送り込まれるものである。
そして、シート繰出口３８からロール状シートＲの先端部を引き出して、ローラフロート２１・及び端押えロール２３（２３）とシートホルダー１９との間に位置する状態にすると共に、開閉蓋１７を再び閉めて蓋開閉レバー１６で係止する。
次いで、操作レバー２０を再び回動操作して元の起立位置に戻すと、上記案内ローラ３６・が支持ローラ３３・・より下降するので、ロール状シートＲは複数列の支持ローラ３３・・上に保持されることとなり、同時にシートホルダ１９・・・も水平状態に復帰して図４の状態となる。
なお、ロール状シートＲをロール収納部３２内に供給して空いた補助ロール台１０上には、予備のロール状シートＲ・を装填しておくことが好ましい。
【００２１】
以上の如く、移植機への苗，肥料，シートＲ等の供給が完了したら、圃場内の作業開始位置に移動して昇降リンク２を再び操作して、作業機部３を圃場面に下降させると、上記で繰り出したシートＲが圃場の表面に位置すると共に、下方で横方向に多数あるシートホルダ１９・・・は夫々が土中に侵入して水平状態となる。
そして、機体の所要個所を駆動して苗の植え付け作業を開始するが、この時ロール状シートＲは支持ローラ３３・・によって支持された状態でシート繰出口３８より徐々に繰り出されて圃場面上を被覆した状態で、植付杆１３・・・によりそのシートＳ上方より圃場面に苗を植付けるが、圃場の端部に至った時点で、走行機体１を廻行させるために一時的に植付け作業を中断する必要が発生する。
【００２２】
このような時には、植付杆１３・・・の作動を一旦停止すると共に、座席９近傍にある操作レバー２５を操作してカッタ２４の刃で被覆したシートＳを切断した後、作業機部３を上昇させた状態で走行機体１を旋回させる。
そして、この際に機体側に残ったシートＲの繰り出し側は水平位置に支持されているシートホルダ１９で下方より支持されていて、次の行程ですぐ作業が開始出来る状態となっている。
【００２３】
このようにして、移植機の旋回完了後、再び作業機部３を下降させ、苗の植付けを再開して、上記の作業を繰り返し行うが、その内に最初に供給した苗や肥料及びロール状シートＲ等がなくなった場合には、なくなったものを補給する必要がある。
そして、ロール状シートＲを補給する際にも、作業開始時と同様の操作を繰り返すものであり、空となった補助ロール台１０上にも、畦際等の圃場端部に到着した際に別途のロール状シートＲ・を補給しておくと作業性が良い。
このようにして、苗の移植作業を繰り返し行うものである。
【００２４】
そして、上記ロール状シートＲをロール収納部３２に装填する際には、重いシートＲは横方向に回転する案内ローラ３６，３６の回転でロール収納部３２の奥側に案内されて、支持ローラに引っかかる事も無いため、ロール状シートＲを傷めることなく円滑に装填出来るものであり、しかも、ロール状シートＲはその径の大きさには関係なく、複数列に並設した支持ローラ３３・・によって支持されることとなり、該支持ローラ３３・・はシートＲの繰り出し方向に回転自在であるので、使用中途の小径シートＲ２であってもロール収納部３２に円滑容易に装填出来るばかりでなく、ロール状シートＲの圃場への繰出しをも良好に行えるものである。
【００２５】
【発明の効果】
本発明は、前記の如く、ロール状シートを横架して収納するロール収納部３２を設け、上記ロール状シートＲをロール収納部３２から後方に繰り出して圃場面を被覆し、該圃場面を被覆したシートＳの上方より苗を圃場面に向けて移植するようにした移植機において、前記ロール収納部３２の下面にシートの繰り出し方向に回転自在な複数列の支持ローラ３３・・を設け、該支持ローラ３３・・でロール状シートＲを後方へ繰り出し可能に支持したので、ロール状シートＲはそのシートの径の大きさとは関係なく複数の支持ローラ３３・・によって支持されることとなり、使用中途の小径シートＲ２であってもロール収納部３２内に円滑、且つ容易に装填出来ると共に、ロール状シートＲの圃場への繰出しを良好に行うことができる。
【図面の簡単な説明】
【図１】移植機の全体側面図である。
【図２】同上説明用の要部の平面図である。
【図３】作業機部の要部を示す側面図である。
【図４】同上作業時の説明用要部の側面図である。
【図５】同上シート供給時の説明用要部の側面図である。
【図６】ロール収納部の底部の平面図である。
【図７】運転席での作業者が、ロール状シートの残量を確認する際の要部の説明図を示し、（ａ）は側面図、（ｂ）は（ａ）のＣ矢視図である。
【図８】ロール状シートの端部にアダプタを取付けてロール収納部に収納した状態のロール収納部の背断面図である。
【図９】ロール収納部にロール状シートをロール状シートの芯筒を貫通して収納した状態のロール収納部の背断面図である。
【符号の説明】
１    走行機体
２    昇降リンク
３    作業機部
９    座席シート
１０  補助ロール台
１５  ロールケース
１７  開閉蓋
１９  シートホルダ
２０  操作レバー
２１  ローラフロート
２４  カッタ
２５  （カッタ）操作レバー
３２  ロール収納部
３３  支持ローラ
３６  案内ローラ
３８  シート繰出口
Ｒ    ロール状シート
Ｒ１  大径シート
Ｒ２  小径シート
Ｓ    （被覆した）シート
Ｘ    支持ローラ
Ｙ    芯筒
【図１】
2004329101.tif 000003
【図２】
2004329101.tif 000004
【図３】
2004329101.tif 000005
【図４】
2004329101.tif 000006
【図５】
2004329101.tif 000007
【図６】
2004329101.tif 000008
【図７】
2004329101.tif 000009
【図８】
2004329101.tif 000010
【図９】
2004329101.tif 000011